(57)【要約】【目的】不使用の場合に、カバン等にコンパクトに収納できる折畳可能な衣類収納具を提供する。【構成】  折り畳まない状態、又は、折り畳んだ状態の衣類の一面全体を覆うことができる外覆部材２と、該外覆部材２の内側に設け、前記衣類を掛けて支持できる支持部材５と、持手部７を有し、前記外覆部材２と支持部材５との間に前記衣類を挿通できる空間を形成し、前記外覆部材２は、前記支持部材５と持手部７をを内側に位置させて折り畳みできるようにした。【選択図】  図１
2012081084.tif 000002
【特許請求の範囲】
【請求項１】
折り畳まない状態、又は、折り畳んだ状態の衣類の一面全体を覆うことができる外覆部材と、該外覆部材の内側に設け、前記衣類を掛けて支持できる支持部材と、持手部を有し、
前記外覆部材と支持部材との間に前記衣類を挿通できる空間を形成し、前記外覆部材は、前記支持部材と持手部を内側に位置させて折り畳みできるようにしたことを特徴とする折畳可能な衣類収納具。
【請求項２】
前記外覆部材は、前記支持部材を内側に位置させて巻回して折り畳みできるようにしたことを特徴とする請求項１記載の折畳可能な衣類収納具。
【請求項３】
前記支持部材を棒状に形成し、該支持部材の長手方向の両側部分に、前記持手部の両端部を固着したことを特徴とする請求項１又は２記載の折畳可能な衣類収納具。
【請求項４】
前記外覆部材における長手方向の中央部の内側に、前記支持部材を設けたことを特徴とする請求項１又は２又は３記載の折畳可能な衣類収納具。
【請求項５】
前記外覆部材の内側に、内覆部材を設け、この外覆部材と内覆部材で袋状の袋状部材を形成し、該袋状部材を開閉可能に形成し、前記外覆部材を、前記内覆部材とともに折り畳みできるようにしたことを特徴とする請求項１乃至４の何れか１項に記載の折畳可能な衣類収納具。
【発明の詳細な説明】
【技術分野】
【０００１】
本発明は、折畳可能な衣類収納具に関するもので、詳しくは、例えば、背広の上衣を掛けて持ち運びができる折畳可能な衣類収納具に関する。
【背景技術】
【０００２】
ビジネスマン等は、顧客と会う際等には、スーツの上衣を着用する必要があるが、その移動等の際には、上衣を脱ぎ、この上衣を片手に掛けるなどして持つことがある。
【０００３】
この際、もう一方の手に鞄を持っていると、両手がふさがってしまい、駅で乗車券を購入する際や、携帯電話を取る際などにおいて不便である。
【０００４】
従来、上部内側にハンガーを収納するとともに、該ハンガーのフック部を外に突出できる開口部を、上下方向の両端部に設け、更に、前記ハンガーに掛けた衣服を出し入れできる開閉部を設けた衣服カバーが知られている。
【０００５】
その使用時には、前記ハンガーに、上衣を掛けて、その後に、一方の開口部にハンガーのフック部を挿通して上衣を衣服カバーで覆い、その後に、カバー全体を上下方向において２つ折にし、ハンガーのフック部を他方の開口部に挿通して、その２つ折にした状態を保持した状態で持ち運ぶことができるようになっている（例えば、特許文献１参照）。
【０００６】
このハンガーと衣服カバーを用いることにより、内部に上衣を収納した衣服カバーと、カバンとを、片手で同時に持つことができるため、両方の手がふさがることをさけることができる。また、上衣を片手に掛けて持ち歩く場合よりも、ハンガーに掛けて持ち歩くほうが、上衣にしわがよりにくい。
【先行技術文献】
【特許文献】
【０００７】
特開２００２−２０９７０８
【発明の概要】
【発明が解決しようとする課題】
【０００８】
前記従来のハンガーと衣服カバーにおいては、上衣を着用し、ハンガーと衣服カバーを使用しない状態で、これらを携帯する場合に、ハンガーをコンパクトに折り畳むことができないために、カバン等に収納することができず邪魔になるという問題がある。
【０００９】
そこで、本発明は、不使用の場合に、カバン等にコンパクトに収納できる折畳可能な衣類収納具を提供することを目的とするものである。
【課題を解決するための手段】
【００１０】
前記課題を解決するために、請求項１記載の発明は、折り畳まない状態、又は、折り畳んだ状態の衣類の一面全体を覆うことができる外覆部材と、該外覆部材の内側に設け、前記衣類を掛けて支持できる支持部材と、持手部を有し、
前記外覆部材と支持部材との間に前記衣類を挿通できる空間を形成し、前記外覆部材は、前記支持部材と持手部を内側に位置させて折り畳みできるようにしたことを特徴とするものである。
【００１１】
請求項２記載の発明は、請求項１記載の発明において、前記外覆部材は、前記支持部材を内側に位置させて巻回して折り畳みできるようにしたことを特徴とするものである。
【００１２】
請求項３記載の発明は、請求項１又は２記載の発明において、前記支持部材を棒状に形成し、該支持部材の長手方向の両側部分に、前記持手部の両端部を固着したことを特徴とするものである。
【００１３】
請求項４記載の発明は、請求項１又は２又は３記載の発明において、前記外覆部材における長手方向の中央部の内側に、前記支持部材を設けたことを特徴とするものである。
【００１４】
請求項５記載の発明は、請求項１乃至４の何れか１項に記載の発明において、前記外覆部材の内側に、内覆部材を設け、この外覆部材と内覆部材で袋状の袋状部材を形成し、該袋状部材を開閉可能に形成し、前記外覆部材を、前記内覆部材とともに折り畳みできるようにしたことを特徴とするものである。
【発明の効果】
【００１５】
本発明は、外覆部材と支持部材との間に衣類を挿通して、支持部材に衣類を掛けた状態で、持手部を持つことにより、カバン等とともに衣類を掛けた折畳可能な衣類収納具を片手で持つことが出来、両方の手がふさがることを防止することができる。
【００１６】
更に、支持部材に掛けた衣類の外側面全体を外覆部材で覆うことができるため、移動中に雨等による衣類の汚れを防止することができる。
【００１７】
また、本発明は、前記従来技術のハンガーの代わりに支持部材を用い、この支持部材を外覆部材の内側に設け、支持部材と持手部を内側に位置させて、外覆部材を折り畳みできるようにしたことにより、この折畳可能な衣類収納具の不使用時には、この衣類収納具をコンパクトに折り畳むことができ、容易にカバン等に収納することができる。
【図面の簡単な説明】
【００１８】
【図１】本発明の折畳可能な衣類収納具を２つ折にした状態の斜視図。
【図２】図１の状態の折畳可能な衣類収納具をカバンに掛けた状態の斜視図。
【図３】図１の状態から折畳可能な衣類収納具を平らに開いて内側から見た図。
【図４】図３のＡ−Ａ線断面図。
【図５】図３の状態から内覆部材を開いた状態の図。
【図６】図５の状態において、背広の上衣を収納した状態の図。
【図７】図１の折畳可能な衣類収納具内に背広の上衣を収納して２つ折にした状態の縦断面図。
【図８】図１の折畳可能な衣類収納具を、巻回して折り畳んだ状態の斜視図。
【発明を実施するための形態】
【００１９】
本発明を実施するための形態を図に示す実施例に基づいて説明する。
図１乃至図８は本発明の折畳可能な衣類収納具（以下、衣類収納具ともいう）１を示す。
【００２０】
この折畳可能な衣類収納具１は、任意の部分で折曲可能な部材、例えば、布帛、不織布、生地、薄い樹脂性のシート等からなる外覆部材２を有している。該外覆部材２は、図１，２に示すように、衣類収納具１を２つ折にした状態で、外側に位置するもので、図３〜６に示すように、一方向が長く、これと直交する方向が短い略長方形状に形成され、その長手方向の両端部２ａ，２ｂは、外覆部材２の中央軸（Ｘ−Ｘ）上で、かつ、外覆部材２側に中心を有する円弧状に形成されている。
【００２１】
この外覆部材２は、図６に示すように、その長尺方向（Ｘ−Ｘ方向）の長さが、背広やスーツの上衣２０の丈より長く、その短尺方向（Ｙ−Ｙ方向）の長さが、背広やスーツの上衣２０を左右方向の中央を中心として、左右方向に２つ折にした横方向の長さより長く設定されている。なお、この短尺方向（Ｙ−Ｙ方向）の長さは、図１に示すように、一般的なカバン９の横方向の長さより短く設定されている。また、図８に示すように、巻回して折り畳んだ時にカバン９内に容易に収納できる大きさに設定することが好ましい。本実施例においては、外覆部材２として、撥水性を有する布帛で形成した。
【００２２】
前記外覆部材２には、その長手方向（Ｘ−Ｘ方向）の略中央部の内面に位置して挟持部材３が設けられている。該挟持部材３は、外覆部材２の短手方向（Ｙ−Ｙ方向）に長い帯状に形成され、その長手方向（Ｙ−Ｙ方向）の両側端部３ａ，３ａが、外覆部材２の両側端部に縫接されている。この挟持部材３における、その両端部３ａ，３ａ間の部分３ｂと外覆部材２とは、外覆部材２の長手（Ｘ−Ｘ）方向の両端部が開口する空間４が形成されている。
【００２３】
前記挟持部材３は、図４に示すように、２枚の同一形状の帯状で、布帛、不織布、生地、薄い樹脂性のシート等で形成された片３ｃ，３ｄを重ねるようにし、その外縁部を相互に縫接して形成されている。該挟持部材３内、すなわち、片３ｃ，３ｄ間には、図３，４に示すように、棒状の支持部材５が固設されている。該支持部材５は、外覆部材２の長手（Ｘ−Ｘ）方向の略中央に位置して、その左右（Ｙ−Ｙ）方向に設けられている。該支持部材５は、止片３ｅにより、外覆部材２側の片３ｃに固着されている。この支持部材５の長さは、図６に示すように、外覆部材２の短手（Ｙ−Ｙ）方向の長さより若干短く設定されている。本実施例においては、前記支持部材５として、木製で、断面が円形の棒状のものを２本並列に設けて形成したが、支持部材５は、背広やスーツの上衣２０を掛けて、その状態を保持することができればよく、その材質や形状、本数は任意に設定する。
【００２４】
前記支持部材５の両側部の挟持部材３には、帯状で、任意の部分で折曲可能な部材、例えば、布帛、不織布、生地、薄い樹脂性のシート等で形成された持手部７の両側部が固着されている。
【００２５】
前記外覆部材２の内側には、内覆部材８が設けられている。該内覆部材８は、図３に示すように、その長手（Ｘ−Ｘ）方向の一方の端部８ａと両側端部８ｂ，８ｃを、外覆部材２と同一形状に形成して、外覆部材２と略同一の大きさに形成されるとともに、その長手方向の一方の端部８ａと両側端部８ｂ，８ｃは外覆部材２に縫接されている。前記内覆部材８は、左右（Ｙ−Ｙ）方向の中央部において左右に分割され、２枚の開閉片８ｆ，８ｇとからなる。前記内覆部材８の左右の開閉片８ｆ，８ｇの内縁８ｉ，８ｊにおける長手方向の他方の縁８ｄ，８ｅは、中心軸（Ｘ−Ｘ）から両側部に向かって湾曲する円弧状に形成されている。前記の構成により、外覆部材２と内覆部材８で袋状に形成され、外覆部材２と内覆部材８で袋状部材１０を構成している。内覆部材８は、任意の部分で折曲可能な部材、例えば、布帛、不織布、生地、薄い樹脂性のシート等で形成され、本実施例においては、通気性を有するメッシュ状の布帛で構成した。
【００２６】
前記内覆部材８における両開閉片８ｆ，８ｇの内縁８ｉ，８ｊには、前記円弧状の縁８ｄ，８ｅを除いて、ファスナー１１が設けられ、図３に示すように、該ファスナー１１を閉じることにより、内覆部材８、即ち、袋状部材１０を閉じ、また、図５に示すようにファスナー１１を開くことにより、内覆部材８、即ち、袋状部材１０を開くことができるようになっている。
【００２７】
前記内覆部材８の円弧状の縁８ｄ，８ｅを有する部分における外覆部材２と反対側には、挿入部構成片１２が設けられ、該挿入部構成片１２の他方の端部１２ａと左右の両側部１２ｂ，１２ｃが外覆部材２に縫接され、一方の端部１２ｄは内覆部材８と接合されていない。これにより、図１，４に示すように一方の端部１２ｄ側が開口した挿入部１３が形成され、この開口部から挿入部１３内に、図７に示すように、衣類収納具１の一方の端部１ａを挿入できるようになっている。挿入部構成片１２の他方の端部１２ａは、外覆部材２の他方の端部２ｂと同様に円弧状に形成されている。
【００２８】
外覆部材２の長手方向の他方の端部２ｂには、帯状の係止部材１４が、一方の端部を固着して設けられ、該係止部材１４の一方の端部の外側には、一方の面ファスナー１４ａが、係止部材１４の他方の端部の内側には、前記一方の面ファスナー１４ａと係合する他方の面ファスナー１４ｂが設けられている。
【００２９】
次に、衣類収納具１の使用方法を説明する。
先ず、図３に示すように、内覆部材８が表面側となるように、衣類収納具１を平らに開く。
【００３０】
次に、図５に示すように、ファスナー１１を開き、左右の開閉片８ｆ，８ｇを左右に開いた後に、図６に示すように、外覆部材２と挟持部材３との間の空間４内に、例えば背広の上衣２０を、その左右方向の中央を中心として左右方向に２つ折に折り畳んだ状態で挿通し、図６に示すように、外覆部材２と内覆部材８との間に背広の上衣２０を配置する。
【００３１】
次に、ファスナー１１を閉め、左右の開閉片８ｆ，８ｇを閉じた後に、図１，２，７に示すように、衣類収納具１を、支持部材５を中心として２つ折りにし、その一方の端部１ａ側を挿入部１３内に挿入する。
【００３２】
そして、図１に示す状態で、衣類収納具１の持手部７を手に持ったり、図２に示すように、カバン９の持手部９ａに、衣類収納具１の持手部７を掛ける。これにより、背広の上衣２０は、支持部材５に掛けて支持された状態で衣類収納具１内に収納され、その背広の上衣２０を外視されることなく持ち運ぶことができる。
【００３３】
また、衣類収納具１を使用しない場合には、図８に示すように、支持部材５を軸として、外覆部材２と内覆部材８を、その外径形状が円筒状となるように、巻回して折り畳んだ後に、その外周を係止部材１４で巻き、面ファスナー１４ａ，１４ｂ同士を係合することにより、その折り畳み状態を保持することができる。この折り畳んだ状態で、カバン９内等に収納して持ち運ぶことができる。
【００３４】
以上のようであるため、前記実施例の衣類収納具１は、次のような作用、効果を発揮することができる。
【００３５】
本発明の衣類収納具１によれば、外覆部材２と支持部材５との間に上衣２０を挿通して、支持部材５に上衣２０を掛けた状態で、持手部７をカバン９の持手部９ａに掛けて、カバン９を持つことにより、カバン９等とともに上衣２０を掛けた衣類収納具１を片手で持つことが出来、両手がふさがることを防止することができる。
【００３６】
更に、上衣２０全体を袋状部材１０内に収納できるため、移動中に雨等により、上衣２０が汚れることを防止することができる。また、支持部材５に上衣２０を掛けた状態で持ち歩くことができるため、上衣２０を手に持って移動する場合と比較して、上衣２０にシワがよることを抑えることができる。
【００３７】
また、衣類収納具１を使用しない場合には、図８に示すように、支持部材５と持手部７を内側に位置させて、巻回して折り畳むことができるため、カバン９内等に収納して容易に持ち運ぶことができる。
【００３８】
また、外覆部材２の一方の端部２ａと、挿入部１３の他方の端部を円弧状に形成したことにより、挿入部１３内に、衣類収納具１の一方の端部１ａを挿入する際に、挿入部１３内の衣類収納具１の一方の端部１ａの位置決めを容易に行うことができる。
【００３９】
なお、前記実施例においては、袋状部材１０の開閉を、内覆部材８の中央において、その一方の端部８ａから、２つの円弧部８ｄ，８ｅの接点部にかけてファスナー１１を設けて開閉するようにしたが、外覆部材２の外縁部と内覆部材８の外縁部間にファスナーを設けて袋状部材１０を開閉できるようにしても良い。
【００４０】
また、前記実施例においては、図８に示すように、支持部材５を軸として、外覆部材２と内覆部材８を巻回して折り畳むようにしたが、外覆部材２と内覆部材８を、横（Ｙ−Ｙ）を軸として、支持部材５と持手部７を内側に位置させて複数回折り畳むことにより、衣類収納具１をコンパクトにするようにしてもよい。
【００４１】
また、衣類収納具１を、巻回等して折り畳んだ後に、これを、円筒状の収納袋に収納するようにしてもよい。
【００４２】
また、前記実施例において、衣類収納具１を２つ折にした状態を保持するために、挿入部１３内に、衣類収納具１の一方の端部１ａを挿入したが、内覆部材８の長手方向の一方の端部と、他方の端部に、夫々に対応したファスナー、夫々に対応した面ファスナー、ボタンとホック等の係合部材を設けて、衣類収納具１を２つ折にした状態を保持するようにしてもよい。
【００４３】
また、前記実施例において、衣類収納具１の折り畳んだ状態を保持するために、面ファスナー１４ａ，１４ｂを用いたが、折り畳んだ状態を保持できるのであれば、ボタンとその係合穴や、ボタンとホック等の任意の手段を用いることができる。
【００４４】
また、前記内覆部材８は設けなくても良い。
また、前記実施例においては、衣類収納具１内に、背広やスーツの上衣２０を２つ折にして収納したが、背広やスーツの上衣２０以外にも、背広やスーツの下衣等任意の衣類を収納できるようにしてもよい。また、衣類収納具１内に衣類を収納する際に、その衣類を折り畳まなくてもよいし、衣類を折り畳んで収納する場合も、２つ折り以外にも、３つ折りや、４つ折り等任意に折り畳んで行うことができる。また、衣類収納具１の大きさは、その内部に収納する衣類全体を収納することができれば任意の大きさに設定するものである。
【００４５】
また、前記実施例においては、衣類収納具１内に、背広やスーツの上衣２０を収納した後に２つ折にしたが、更に２つ折にし、その状態を保持することができるようにしても良い。
【符号の説明】
【００４６】
１  折畳可能な衣類収納具
２  外覆部材
４  空間
５  支持部材
７  持手部
８  内覆部材
１０  袋状部材
【図１】
2012081084.tif 000003
【図２】
2012081084.tif 000004
【図３】
2012081084.tif 000005
【図４】
2012081084.tif 000006
【図５】
2012081084.tif 000007
【図６】
2012081084.tif 000008
【図７】
2012081084.tif 000009
【図８】
2012081084.tif 000010